(57)【要約】  この集電板は、起立する位置決めピンを少なくとも一面に有する。
2018124186.tif 000002
【特許請求の範囲】
【請求項１】
起立する位置決めピンを少なくとも一面に有する、集電板。
【請求項２】
所定の領域を囲む周縁壁を少なくとも前記一面にさらに有し、
前記位置決めピンは、前記一面側にある前記周縁壁の第１面に設けられている、請求項１に記載の集電板。
【請求項３】
前記一面としての第一主面と、第二主面を有し、前記位置決めピンを両方の主面に有する、請求項１又は２のいずれかに記載の集電板。
【請求項４】
イオン交換膜と、
請求項１〜３のいずれか一項に記載の集電板と、
前記イオン交換膜と前記集電板との間に配置される電極とを備え、
前記電極は、前記集電板の位置決めピンにより前記電極の面内方向の位置が固定されている、レドックスフロー電池。
【請求項５】
前記電極は、前記位置決めピンに対応する位置に位置決め孔を有する、請求項４に記載のレドックスフロー電池。
【請求項６】
イオン交換膜と、前記膜を挟むように両側に順に配置された電極と、集電板とを有するレドックスフロー電池の製造方法であって、
少なくとも一面に起立する位置決めピンを有する集電板を準備する、又は、集電板の一面に位置決めピンを設置する工程と、
前記位置決めピンが形成された面に電極を積層し、前記電極の面内方向の位置を固定する工程と、を有するレドックスフロー電池の製造方法。
【請求項７】
イオン交換膜と、それを挟むように順に配置された電極と、集電板とを有するレドックスフロー電池の製造方法であって、
集電板の一面に電極を積層する工程と、
前記集電板と前記電極とを位置決めピンにより固定する工程と、を有するレドックスフロー電池の製造方法。
【請求項８】
前記所定の領域が凹部であり、電極と向かい合う凹部の面と電極との距離が、電極と向かい合う周縁壁の面と電極との距離よりも、長い、
請求項２に記載の集電板。
【発明の詳細な説明】
【技術分野】
【０００１】
本発明は、集電板、レドックスフロー電池及びレドックスフロー電池の製造方法に関する。
本願は、２０１６年１２月２８日に、日本に出願された特願２０１６−２５５３７８号に基づき優先権を主張し、その内容をここに援用する。
【背景技術】
【０００２】
大容量蓄電池として、レドックスフロー電池が知られている。レドックスフロー電池は、一般に電解液を隔てるイオン交換膜と、そのイオン交換膜の両側に設けられた電極とを有する。イオン交換膜を挟んだそれぞれの側、すなわち正極室と負極室には、正極電解液、及び負極電解液が供給される。両側に設けられたこの電極上で、酸化反応と還元反応を同時に進めることにより、充放電が行われる。【０００３】
上述したように、レドックスフロー電池では、電極はそれぞれの電極室内に格納されている。レドックスフロー電池は、電極室内に電解液を供給し、電解液を循環させながら動作する。電解液中のイオンは、電子を電極に渡し、電子は電極からレドックスフロー電池の外部に授受される。この際、プロトンは、イオン交換膜を介して他方の電極室に授受される。レドックスフロー電池は、このような電子とプロトンの流れを介して充放電を行う。【０００４】
レドックスフロー電池は、それぞれ別個である部材である、集電体、電極、及びイオン交換膜を順に積層し、この積層体を、積層方向から挟みこむことで作製される（例えば、特許文献１及び特許文献２）。
【先行技術文献】
【特許文献】
【０００５】
【特許文献１】特開２０１５−１２２２３１号公報
【特許文献２】特表２０１５−５０５１４７号公報
【発明の概要】
【発明が解決しようとする課題】
【０００６】
レドックスフロー電池を作製する際に、別個の部材を組み合わせる際には、それぞれの位置関係を正しく合わせる必要がある。例えば、集電板に対して電極の位置がずれると、電極を通過しない電解液の流れが生じ、レドックスフロー電池の充放電容量が低下する。【０００７】
本発明は上記問題に鑑みてなされたものであり、レドックスフロー電池の組み立て時における電極の面内方向のずれを抑制することを目的とする。
【課題を解決するための手段】
【０００８】
本発明者らは、電極室内に設ける集電板に位置決め用のピンを設けることで、レドックスフロー電池の組み立て時に、電極が面内方向にずれることを抑制できることを見出した。
すなわち、本発明は、上記課題を解決するため、以下の手段を提供する。【０００９】
本発明の第１の態様は、以下の集電板である。
（１）第１の態様の集電板は、起立する位置決めピンを少なくとも一面に有する。【００１０】
本発明の第１の態様の集電板は、以下の特徴を好ましく含む。下記特徴は必要に応じて互いに組み合わせることも好ましい。
（２）上記態様にかかる集電板において、所定の領域を囲む周縁壁を、前記少なくとも一面にさらに有し、前記位置決めピンは、前記一面側にある前記周縁壁の第１面に設けられていてもよい。【００１１】
（３）上記態様にかかる集電板は、前記一面としての第一主面と、第二主面を有し、前記位置決めピンを、両方の主面に有してもよい。【００１２】
本発明の第２の態様は、以下のレドックスフロー電池である。
（４）第２の態様にかかるレドックスフロー電池において、
イオン交換膜と、上記第１の態様にかかる集電板と、前記イオン交換膜と前記集電板との間に配置される電極とを備え、
前記電極は、前記集電板の位置決めピンにより前記電極の面内方向の位置が固定されている。【００１３】
（５）上記態様にかかるレドックスフロー電池において、前記電極は、前記位置決めピンに対応する位置に、位置決め孔を有してもよい。【００１４】
本発明の第３の態様は、以下のレドックスフロー電池の製造方法である。
（６）第３の態様にかかるレドックスフロー電池の製造方法は、
イオン交換膜と、それを挟むように順に配置された電極と、集電板とを有するレドックスフロー電池の製造方法であって、
少なくとも一面に起立する位置決めピンを有する集電板を準備する、又は、集電板の一面に位置決めピンを設置する工程と、
前記位置決めピンが形成された面に電極を積層し、前記電極の面内方向の位置を固定する工程と、を有する。【００１５】
本発明の第４の態様は、以下のレドックスフロー電池の製造方法である。
（７）第４の態様にかかるレドックスフロー電池の製造方法は、
イオン交換膜と、それを挟むように順に配置された電極と、集電板とを有するレドックスフロー電池の製造方法であって、
集電板の一面に電極を積層する工程と、
前記集電板と前記電極とを位置決めピンにより固定する工程と、を有する。
なお上記集電板の前記一面は、集電板の第一の主面として考えることもできる。
（８）上記（２）の前記所定の領域が凹部であり、電極と向かい合う凹部の面と電極との距離が、電極と向かい合う周縁壁の面と電極との距離よりも長いことも好ましい。
【発明の効果】
【００１６】
上記態様に係るレドックスフロー電池は、レドックスフロー電池の組み立て時に電極が面内方向にずれることを抑制できる。
【図面の簡単な説明】
【００１７】
【図１】第１実施形態にかかるレドックスフロー電池の例の、断面概略模式図である。
【図２】第１実施形態にかかるレドックスフロー電池において、好ましい集電板の例を切断した、断面概略模式図である。
【図３】第１実施形態にかかるレドックスフロー電池において、セルフレーム内に収納された、好ましい集電板の例を、積層方向から平面視した、概略図である。
【図４】第１実施形態にかかるレドックスフロー電池において、好ましい集電板の例の要部（一部）を拡大した、斜視概略模式図である。
【図５】第１実施形態にかかるレドックスフロー電池において、好ましい集電板の別の例を切断した、断面概略模式図である。
【図６】図３で示される第１実施形態にかかるレドックスフロー電池において、セルフレーム内に収納された、好ましい集電板の例の上に、電極とイオン交換膜を設け、Ａ−Ａ面で切断した、断面概略模式図である。
【図７】第１実施形態にかかるレドックスフロー電池の電解液の流れを示した、概略図である。
【発明を実施するための形態】
【００１８】
以下、本発明の集電板、レドックスフロー電池、及びその製造方法の好ましい例について、図を適宜参照しながら、詳細に説明する。
なお以下の説明で用いる図面は、本発明の特徴をわかりやすくするために便宜上特徴となる部分を拡大して示している場合があり、各構成要素の寸法比率などは、実際とは異なっていることがある。以下の説明において例示される材質、寸法等は一例であって、本発明はそれらのみに限定されるものではない。本発明の要旨を変更しない範囲で、適宜変更して実施することが可能である。
【００１９】
（第１実施形態）
図１は、第１実施形態のレドックスフロー電池の断面模式図である。
図１に示すレドックスフロー電池１００は、イオン交換膜１０と、集電板２０と、電極３０とを有する。集電板２０と電極３０とは、セルフレーム４０によって外周を囲まれている。電極３０は、イオン交換膜１０と集電板２０とセルフレーム４０によって形成された電極室Ｋ内に設けられている。セルフレーム４０は、電極室Ｋに供給される電解液が、外部に漏れだすのを防ぐ。
【００２０】
図１に示すレドックスフロー電池１００は、複数の単セルＣＥが積層されたセルスタック構造を有する。なおセルフレーム４０や集電板２０は、図１中のセルＣＥに隣接する他のセルＣＥの一部を形成しても良い。単セルＣＥの積層数は、用途に応じて適宜変更することができるが、単セルのみの構成としてもよい。単セルＣＥを複数直列接続することで、実用的な電圧が得られる。一つの単セルＣＥは、イオン交換膜１０と、イオン交換膜１０を挟む正極及び負極として機能する二つの電極３０と、二つの電極３０を挟む二つの集電板２０とからなる。
このような構造では、正極電解液のタンクと負極電解液のタンク（図示略）からの電解液を、それぞれのポンプ（図示略）を用いて、各セルに循環させてよい。
各電極の表面（主面）において、イオン交換膜側とは逆の表面側には、集電板２０が設けられる。電極や集電板の端部はセルフレーム２０で好ましく覆われる。図１ではあまり明確ではないが、セルＣＥ内には電解液が流れる空間が負極側と陽極側の電極室のそれぞれある。セルの構成に応じて、電解液はイオン交換膜１０と電極３０の間や、電極の内部などを流れることができる。
【００２１】
以下、単セルＣＥが積層されるセルスタック構造の積層方向を単に「積層方向」、セルスタック構造の積層方向に垂直な面方向を「面内方向」と言うことがある。
【００２２】
「イオン交換膜」
イオン交換膜１０は任意に選択でき、好ましくは陽イオン交換膜を用いることができる。具体的には、スルホ基を有するパーフルオロカーボン重合体、スルホ基を有する炭化水素系高分子化合物、リン酸などの無機酸をドープさせた高分子化合物、一部がプロトン伝導性の官能基で置換された有機／無機ハイブリッドポリマー、及び高分子マトリックスにリン酸溶液や硫酸溶液を含浸させたプロトン伝導体等が例として挙げられる。これらのうち、スルホ基を有するパーフルオロカーボン重合体が好ましく、ナフィオン（登録商標）がより好ましい。
【００２３】
「集電板」
集電板２０は、電極３０に電子を授受する役割を持つ集電体である。集電板は、その両面が集電体として使用できるものである場合、双極板と言われることもある。本実施形態にかかる集電板は、レドックスフロー電池に、より好ましく用いられる。
【００２４】
集電板２０は任意に選択でき、好ましくは導電性を有する材料を用いることができる。例えば炭素を含有する導電性材料を用いることができる。具体的には、黒鉛と有機高分子化合物とからなる導電性樹脂、もしくは黒鉛の一部をカーボンブラックとダイヤモンドライクカーボンの少なくとも１つに置換した導電性樹脂、カーボンと樹脂とを混練成形した成形材が挙げられる。これらのうち、カーボンと樹脂とを混練成形した成形材を用いることが好ましい。
【００２５】
図２は、第１実施形態にかかるレドックスフロー電池の、集電板の断面模式図である。図２に示す集電板２０は、周縁壁２１と、内部壁２２とを、一主面に有する。必要に応じてこれらを両方の主面に有しても良い。周縁壁２１は、所定の領域を囲み、前記壁の内部に、凹部２０Ａ（窪み部）を有する。凹部２０Ａは、周縁壁２１によって規定される領域である。電極３０と向かい合う凹部２０Ａの面と電極３０との距離は、電極３０と向かい合う周縁壁２１の面（２１ａ）と電極３０との距離よりも、長いことが好ましい。また、電極と向かい合う周縁壁２１の面（２１ａ）とイオン交換膜１０との距離は、セルフレーム４０とイオン交換膜１０との距離よりも、長いことも好ましい。
また周縁壁２１の第１面２１ａ（電極３０と向かい合う上端面）には、第１面２１ａから積層方向に起立する位置決めピン２３が設けられている。なお周縁壁２１の側面を、第２面と言っても良い。
本発明の集電板２０の好ましい例を挙げれば、集電板２０の形状が正方形や長方形等の四角形状である時（積層方向から平面視した場合）、集電板２０の主面の少なくとも一方の主面の四辺部分（額縁型部分）に、縁部分としての、断面が四角柱状の、連続する周縁壁２１があっても良い。周縁壁２１の第１面２１ａの幅は任意に選択できる。
周縁壁２１に囲まれた領域（凹部２０Ａ）は、好ましい例として、溝部Ｃと内部壁２２を有する。溝部Ｃの底面は平らであっても良い。内部壁２２の断面は四角柱状であっても良い。また内部壁の電極側を向く面は平らであっても良く、その平らな面は、周縁壁２１の第１面２１ａよりも、向かい合う電極から遠い位置にあっても良い。
【００２６】
なお、図２は集電板２０の一例である。本発明の集電板は、当該構成に限られず、種々の構成をとることができる。例えば、本発明の集電板は、内部壁２２を有さない構成や、前記所定の構造（周縁壁２１及び内部壁２２）を有さない構成でもよい。ただし、いずれの構成においても、位置決めピン２３は少なくとも集電板２０の一つの主面に設けられている必要がある。例えば、図２の構造に加えて、更に内部壁２２の上側の面に位置決めピン２３が受けられても良い。あるいは、図２の位置決めピン２３の代わりに、内部壁２２の上側の面に位置決めピン２３が設けられていても良い。また、内部壁２２および周縁壁２１を有していない場合は、位置決めピン２３が電極３０に向き合う集電板２０の主面上にランダムに設けられていても良いし、電極３０に向き合う集電板２０の主面の端部に設けられていても良い。
以下、図３の構成を用いて集電板の好ましい例をさらに詳細に説明する。
【００２７】
図３は、セルフレーム４０内に、図２に示す集電板２０が収納された様子を積層方向から平面視した図である。図２は、図３におけるＡ−Ａ面における切断面に対応する図である。
【００２８】
集電板２０のイオン交換膜１０側の面には、複数の溝部Ｃが設けられている。複数の溝部Ｃの溝間に当る位置には、壁部（内部壁２２）が形成されている。内部壁２２を設けることにより、凹部２０Ａ内全面に電解液を供給しやすくなる。溝部Ｃの形状および複数の溝部Ｃによって規定される内部壁２２の形状は、特に限定されない。
【００２９】
図３に示す内部壁２２は、溝部Ｃが開口部２１ｉから一方向に延在する第１溝部Ｃ１と、第１溝部Ｃ１に繋がり第１溝部Ｃ１から交差する方向に分岐する第２溝部Ｃ２と、を有する。
【００３０】
周縁壁２１で囲まれた凹部２０Ａ内には、周縁壁２１の開口部２１ｉから電解液が供給される。周縁壁２１の開口部２１ｉから供給された電解液は、第１溝部Ｃ１に沿って流れると共に、第２溝部Ｃ２に広がるように流れる。電解液は、溝部Ｃに沿って流れることで、凹部２０Ａの面内方向に広がりやすい。なおセルフレーム４０の、左下の円を電解液の流入口として、右上の円を流出口として考えても良い。
【００３１】
電解液は、凹部２０Ａ内の全面に広がった後、排出路２４を通って排出されることが好ましい。電解液が凹部２０Ａ内の面内方向の全面に行き渡ることで、面内方向全面に渡って電極３０を利用することができる。その結果、レドックスフロー電池のセル抵抗が小さくなると共に、充放電特性が向上する。
【００３２】
図４は、集電板２０の要部（一部）を拡大した斜視図である。図４に示す周縁壁２１の第１面２１ａには、位置決めピン２３が起立している。位置決めピン２３は、後述する電極３０に挿入され、電極３０の面内方向の位置を固定する。電極３０は、位置決めピン２３のそれぞれに対応する位置に、位置決め孔を有していても良い。
【００３３】
位置決めピン２３は、集電板２０と一体化して形成されていても、分離可能でもよい。起立する位置決めピンを少なくとも一面（好ましくは第一主面）に有する集電板は、位置決めピン２３の少なくとも一部が、集電板内に侵入、又は集電板と接触しているか、あるいは、集電体と一体化していればよい。
分離可能な場合は、集電板に位置決めピン２３が入るねじ穴を形成しておき、位置決めピン２３を雄ねじと雌ねじとして固定しても良い。位置決めピン２３の形状は特に問わないが、三角柱や四角柱や円柱などの柱状や、三角錐や四角錐や円錐などの錐状であることが好ましい。一端から周縁壁２１の第１面２１ａに向かって拡径する、錐状であることがより好ましい。位置決めピン２３が錐状であれば、電極への挿入が容易になる。
【００３４】
位置決めピン２３の高さは任意に選択できるが、レドックスフロー電池１００を組み上げた際に、イオン交換膜１０を突き破らない高さであることが好ましい。例えば図４の構成においては、位置決めピン２３の高さは、レドックスフロー電池１００を組み上げた後の、イオン交換膜１０から周縁壁２１の第１面２１ａに下した垂線の高さ以下であることが好ましい。またレドックスフロー電池１００を組み上げた際、位置決めピン２３の高さは、電極３０の厚さよりも小さいことも好ましいが、状況に応じて、電極３０の厚さよりも大きくても良い。位置決めピン２３がイオン交換膜１０を突き破ると、電解液のリークが生じ、充放電容量が低下することがある。
【００３５】
位置決めピン２３は、電解液に対して耐性がある材料により構成されることが好ましい。例えば、レドックスフロー電池ではバナジウム電解液が広く用いられる。この場合、位置決めピン２３には、耐酸性が求められる。電解液に対して耐性がある材料としては、例えば、フッ素樹脂コーティング剤でコーティングされた材料や、フェノール樹脂系の耐酸性樹脂、ガラス、集電板２０に用いられる材料等が挙げられる。また位置決めピン２３には、これらの材料の中でも、導電性を有する材料を用いることが好ましい。
【００３６】
位置決めピン２３の配置、及び数は、特に制限されない。数の例としては、例えば１〜６０が挙げられ、２〜４０が好ましく、２〜２０がより好ましく、２〜１０がさらに好ましい。より具体的な数の例を挙げれば、２、４、６、８、１０、１２、及び１４などの数の、いずれであっても良いが、これらのみに限定されない。位置については、図３に示すように、集電板２０の面内方向中央に対して、上下、及び／又は、左右で、対称な位置に設けられていることが好ましい。対象な位置に配置される事で、面内方向のいずれの方向に応力が加わっても、加わる応力を面内方向に対称に分散できる。また、第一面２１ａ上に位置決めピン２３がある時、第一面２１ａの４つの辺の近傍、又は向かい合う２つの辺の近傍、にある位置決めピン２３の数が、同じである事も好ましい。図５に示すように、集電板２０’が双極板である場合、双極板の二つの面（両主面）に位置決めピン２３を有していてもよい。双極板の位置決めピン２３の位置や数は、特に問わないが、上記の好ましい特徴を、それぞれの両面に有することは好ましい。
【００３７】
位置決めピン２３は、後述する電極３０と直接接触する部分であれば、周縁壁２１の第１面２１ａ以外の部分に設けられていてもよい。例えば、内部壁２２の第１面２２ａ（上端面）も、後述する電極３０と直接接触する。そのため、内部壁２２の第１面２２ａ上に、位置決めピン２３を設けてもよい。なお内部壁２２の側面を、第２面と言っても良い。
【００３８】
位置決めピン２３が、周縁壁２１の第１面２１ａ及び内部壁２２の第１面２２ａのそれぞれに設けられていると、面内方向の外周部及び内部で電極３０の位置を固定でき、電極３０が面内方向にずれることをより抑制できる。第一面２１ａと第１面２２ａの両方に位置決めピン２３が設けられる時、位置決めピン２３の数はそれぞれ同じであっても良く、又は、第一面２１ａ上の数の方が多くても良いし、あるいは少なくても良い。
【００３９】
周縁壁２１及び内部壁２２の形状は特に問わず、任意に選択できる。図４では、周縁壁２１及び内部壁２２の断面を、矩形として図示しているが、半円状、三角形状でもよい。
【００４０】
内部壁２２の幅は任意に選択できるが、０．５ｍｍ以上３０ｍｍ以下であることが好ましく、０．５ｍｍ以上１０ｍｍ以下であることがより好ましい。電解液は溝部Ｃに沿って供給される。そのため、内部壁２２の幅を狭くすることで、相対的に溝部Ｃの幅を広くできる。溝部Ｃの幅が広くなれば、乱流の発生を抑制できる。
【００４１】
一方で、内部壁２２は、電解液を流すための流路を構成する。そのため、内部壁２２がある程度の厚みを有することで、十分な強度を確保できる。その結果、加工し易くなる等の利点を有する。
【００４２】
「電極」
図６は、図３に示される第１実施形態にかかるレドックスフロー電池のセルフレーム内に収納された集電板上に、電極とイオン交換膜を設け、Ａ−Ａ面で切断した断面模式図である。
【００４３】
電極３０には、炭素繊維を含む導電性シートを用いることができる。ここで言う炭素繊維とは、繊維状炭素であり、例えばカーボンファイバー、及びカーボンナノチューブ等が挙げられる。電極３０が炭素繊維を含むことで、電解液と電極３０の接触面積を増し、レドックスフロー電池１００の反応性が高まる。
【００４４】
カーボンナノチューブを含む導電性シートは好ましく使用される。特に径が１μｍ以下のカーボンナノチューブを電極３０が含む場合、カーボンナノチューブの繊維径が小さいため、電解液と電極３０との接触面積を大きくできる。一方で、径が１μｍ以上のカーボンファイバーを電極３０が含む場合、その導電性シートが強く、破れにくくなる。炭素繊維を含む導電性のシートとしては、例えば、カーボンフェルト、カーボンペーパー、カーボンナノチューブシート等を用いることができる。
【００４５】
電極３０は、積層方向に１層の構成であっても、又は複数層の構成であってもよい。例えば、図６に示すように、電極３０は、集電板２０側から第１電極３１と、第２電極３２と、液流出層３３とを有する構成でも良い。なお電極の層の数はこれに限定されず任意に選択でき、例えば２〜７であってもよく、２〜５であっても良く、２〜３であっても良い。
【００４６】
第１電極３１は、集電板２０の凹部２０Ａに嵌合する。第１電極３１は、周縁壁２１の第１面２１ａ（内部壁２２が形成された一面側（図示上面側）の露出面）よりも、集電板２０に近い側に存在する。第２電極３２は、周縁壁２１の第１面２１ａよりもイオン交換膜１０に近い側にあり、セルフレーム４０で囲まれる領域全面に広がって設けられている。液流出層３３は、セルフレーム４０で囲まれる領域全面に広がって設けられており、第２電極３２と比較して電解液が流れやすい。液流出層３３は、通液する多数の孔を有する多孔性シートであればよく、必ずしも導電性を有していなくてもよい。
【００４７】
電極３０は、位置決めピン２３により、その面内方向の位置が固定されている。位置決めピン２３により電極３０の面内方向の位置が固定することで、レドックスフロー電池１００を組み立てる際などに、集電板２０に対して電極３０が所定の位置からずれることが避けられる。
【００４８】
電極３０が、所望の位置から、集電板２０に対して面内方向にずれると、凹部２０Ａと第１電極３１との間、及び、セルフレーム４０と第２電極３２及び液流出層３３との間に、隙間が形成される。これらの隙間は、反応に寄与しない電解液の流れの原因となる。
【００４９】
位置決めピン２３によりこれらのずれを抑制することで、電極３０を通過しない電解液の流れが生じることを防ぎ、レドックスフロー電池の充放電特性を高めることができる。
【００５０】
電極３０は、好ましくは炭素繊維により構成されている。このため、位置決めピン２３は電極３０に容易に挿入できる。電極が図６に示すように構成され、位置決めピン２３が周縁壁２１の第１面２１ａに設けられる場合は、第２電極３２及び液流出層３３の両方に前記ピンが挿入されていることが好ましい。また位置決めピン２３が内部壁２２の第１面２２ａに設けられる場合は、第１電極３１、第２電極３２及び液流出層３３の全てに挿入されていることが好ましい。この場合、少なくとも１つの位置決めピン２３が第１電極３１、第２電極３２及び液流出層３３の全てに挿入されていても良い。あるいは、少なくとも１つの位置決めピン２３が、第１電極３１に、又は第１電極３１及び第２電極３２の両方に挿入され、別の少なくとも１つの位置決めピン２３が、第２電極３２に、又は第２電極３２と液流出層３３の両方に挿入されても良い。
【００５１】
第１電極３１は、第２電極３２よりも、通液性が高いことが好ましい。第１電極３１の面内方向の通液性が、第２電極３２の積層方向の通液性より高いと、電極室Ｋ内に流入した電解液の流れが第２電極３２によって阻まれ、電解液が面内方向に広がる。電解液が凹部２０Ａの面内方向の全面に広がると、第２電極３２全面に、電解液をより均一に流入させやすい。
【００５２】
液流出層３３は、多孔質で、第２電極３２より流出した電解液を排出路へと導く。そのため、液流出層３３は、第２電極３２より通液性が高いことが好ましい。液流出層３３の面内方向の通液性が、第２電極３２の積層方向の通液性より高いと、第２電極３２の排出路２４近傍における電解液の流れの差が少なくなる。その結果、第２電極３２の全面を用いて、充放電反応を行うことができ、セル抵抗が低下する。液流出層３３に導電性の材料を用い、電極３０の一部を構成する電極（第３電極）とすると、よりセル抵抗が低下する。導電性材料としては、第１電極３１に例示した材料を好ましく用いることができる。
【００５３】
通液性は、ダルシー則の透過率（以下、単に透過率と言うことがある。）により評価できる。ダルシー則は多孔性媒体の透過率を表すのに用いられるのが一般的であるが、便宜上、多孔性材料以外の部材にも適用する。その際、不均一で異方性のある部材の評価については、最も低い透過率となる方向の透過率を採用する。
【００５４】
ダルシー則の透過率ｋ（ｍ２）は、粘度μ（Ｐａ・ｓｅｃ）の液を通液させる部材の断面積Ｓ（ｍ２）と、部材の長さＬ（ｍ）と、流量Ｑ（ｍ３／ｓｅｃ）を通液した際の部材の液流入側と液流出側の差圧ΔＰ（Ｐａ）から、次式で表される液体の透過流束（ｍ／ｓｅｃ）の関係の式より、算出される。
【００５５】
【数１】
2018124186.tif 000003
【００５６】
第１電極３１の透過率は、第２電極３２の透過率と比べて、１００倍以上であることが好ましく、３００倍以上であることがより好ましく、１０００倍以上であることがさらに好ましい。当該関係を実現できる具体的な例としては、第１電極３１として繊維径が１μｍ以上の炭素繊維等により構成されたカーボンフェルトや、カーボンペーパー等を用い、第２電極３２として繊維径が１μｍ以下のカーボンナノチューブ等により構成されたカーボンナノチューブシート等を用いる場合が挙げられる。なお、第１電極３１の透過率は、面内方向の透過率を意味し、第２電極３２の透過率は、積層方向（面内方向の法線方向）の透過率を意味する。
【００５７】
上述したように、液流出層３３は、第２電極３２より通液性が高いことが好ましい。第２電極３２を通過した電解液が、速やかに排出路２４へ排出されるためである。液流出層３３の透過率は、第２電極３２の透過率と比べて、５０倍以上であることが好ましく、１００倍以上であることがより好ましく、３００倍以上であることがさらに好ましく、１０００倍以上であることが特に好ましい。当該関係を実現できる具体的な例としては、液流出層３３として第１電極３１に例示した材料を用いることができる。なお、第２電極３２の透過率は上記したものであり、液流出層３３の透過率は、面内方向の透過率を意味する。
【００５８】
「レドックスフロー電池の動作」
図７を用いて、レドックスフロー電池１００の動作の一例を説明する。図７は、第１実施形態にかかるレドックスフロー電池１００における、電解液の流れを示した図である。
【００５９】
レドックスフロー電池１００の電極室Ｋには、セルフレーム４０に設けられた流入口から、電解液が供給される。電極室Ｋ内に供給された電解液は、電極室Ｋ内の電極３０と反応する。反応時に生じたイオンは、イオン交換膜１０を介して電極３０間を流通し、充放電を行う。反応後の電解液は、セルフレーム４０に設けられた流出口から排出される。
【００６０】
電極室Ｋ内においては、電解液は、周縁壁２１の開口部２１ｉから凹部２０Ａ内に供給される（流れｆ１１）。供給された電解液は、内部壁２２に沿って流れ凹部２０Ａの面内方向に広がる（流れｆ１２）。そして、電解液は、電極３０を通って排出路２４から排出される（流れｆ１３）。
【００６１】
上述のように、本実施形態にかかるレドックスフロー電池によれば、集電板に対する電極の位置ずれを避けることができる。そのため、レドックスフロー電池の組み立て時に集電板に対する電極の位置がずれ、電極を通過しない電解液の流れが生じることを防ぐことができる。つまり、レドックスフロー電池の充放電容量の低下を抑制できる。
【００６２】
「レドックスフロー電池の製造方法」
本実施形態にかかるレドックスフロー電池の製造方法は、図１に示すように、イオン交換膜１０と、それを挟むように順に設けられた電極３０と、集電板２０とを有する、レドックスフロー電池の製造方法である。
【００６３】
本実施形態にかかるレドックスフロー電池の製造方法は、以下の二つのいずれかの方法を利用できる。第１の方法は、位置決めピン２３を有する集電板２０に対して、電極３０を挿入して位置決めをする方法である。第２の方法は、集電板２０と電極３０とを積層した後に、位置決めピン２３を設置する方法である。第１の方法と第２の方法は、必要に応じて、組み合わせても良い。なおこの組み合わせにより得られた製品も本発明の範囲に含まれる。
【００６４】
まず第１の方法から説明する。まず少なくとも一つの主面に起立する位置決めピンを有する集電体を準備する、又は、位置決めピンを有さない集電体の一つの主面に位置決めピンを設置する。なお前記主面とは、電極と向かい合う面である。
【００６５】
位置決めピン２３が集電板２０と一体化している集電板を用いる方法の場合は、まず位置決めピン２３を有する集電板２０を準備する。集電板２０の加工は、公知の方法で行うことができる。一方で、位置決めピン２３と、位置決めピンを有さない集電板２０とが最初は分離している製造方法の場合は、まず位置決めピン２３を所定の位置に設置する。位置決めピン２３は、集電板２０に設けられた凹部等に嵌合してもよいし、接着剤等で集電板に接着してもよい。
【００６６】
次いで、位置決めピン２３が形成された面に、所定の位置に、電極３０を積層する。位置決めピン２３は、電極３０内部に挿入される。そのため、電極３０は集電板２０に対して面内方向の自由度を失い、面内方向の位置が固定される。
【００６７】
そして、電極３０と集電板２０とが積層した積層体を、セルフレーム４０の開口部の中に設置する。そして、セルフレーム４０の開口部を塞ぐように、イオン交換膜１０を配設する。
【００６８】
そして、配設されたイオン交換膜１０を挟んで、２つのセルフレーム４０の開口部同士の位置が合うように、次のセルフレーム４０を前記交換膜上に積層する。積層したセルフレーム４０の開口部には、その後、電極３０、集電板２０が順次積層される。この際積層される電極３０も、位置決めピン２３により、集電板２０に対する面内方向の位置が固定されている。このような手順で各部材を積層して、図１に示すような単セルＣＥが作製される。
【００６９】
そして、必要に応じて、この単セルＣＥを基準として、セルを複数積層する。この際、単セルＣＥのいずれか一方の集電板２０を共用して、セルを積層していく。具体的には、前記共有されるセルフレーム４０内にある、共有される集電板２０の上に、新たな電極３０を配置し、この上にさらにイオン交換膜１０を配置する。この膜の上に、さらに別のセルフレーム４０を積層し、これの開口部に、電極３０と集電板２０を積層する。これら工程を繰り返し、積層体を形成する。なお好ましくは略額縁状であるセルフレーム４０の縁の高さは、２つの電極と１つの集電板を収容できる高さであっても良い。
セルを必要数積層することで、複数の電極室Ｋを有するレドックスフロー電池が作製される。断面から見ると、複数のセルフレーム４０の開口部内には、集電板２０、電極３０、イオン交換膜１０、電極３０の組み合わせが、この順で、複数回繰り返し積層される。
【００７０】
これに対し、第２の方法は、位置決めピン２３を設置するタイミングのみが異なる。その他の手順は同一である。
【００７１】
第２の方法は、まず集電板２０の一面に電極３０を積層する。この時点で、位置決めピン２３は、集電板２０に設けられていない。そして、積層後に、位置決めピン２３を、電極３０側から設置する。電極３０は炭素繊維により好ましく構成されているため、電極３０を貫通して集電板２０に位置決めピン２３を設置することができる。第二の方法において、位置決めピンは上述した形状のものを使用できるが、形状が錐状である場合、先端部が集電板２０内にあり、底面が電極３０側に位置するように設けられることも好ましい。
【００７２】
以上、本発明の好ましい実施の形態について詳述したが、本発明は特定の実施の形態に限定されるものではなく、特許請求の範囲内に記載された本発明の要旨の範囲内において、種々の変形や変更が可能である。
【産業上の利用可能性】
【００７３】
本発明は、レドックスフロー電池の組み立て時における電極の面内方向のずれを抑制することができる。
【符号の説明】
【００７４】
１０…イオン交換膜
２０，２０’…集電板
２０Ａ…凹部
２１…周縁壁
２１ａ…第１面
２１ｉ…開口部
２２…内部壁
２２ａ…第１面
２２ｂ…側面
２３…位置決めピン
２４…排出路
３０…電極
３１…第１電極
３２…第２電極
３３…液流出層、
４０…セルフレーム
１００…レドックスフロー電池
ＣＥ…単セル
Ｋ…電極室
Ｃ…溝部
Ｃ１…第１溝部
Ｃ２…第２溝部
ｆ１１  供給される電解液の流れ
ｆ１２  面内方向に広がる電解液の流れ
ｆ１３  排出される電解液の流れ
【図１】
2018124186.tif 000004
【図２】
2018124186.tif 000005
【図３】
2018124186.tif 000006
【図４】
2018124186.tif 000007
【図５】
2018124186.tif 000008
【図６】
2018124186.tif 000009
【図７】
2018124186.tif 000010
【国際調査報告】
2018124186.tif 000011
2018124186.tif 000012
2018124186.tif 000013
2018124186.tif 000014